(57)【特許請求の範囲】
【請求項１】
高所に取り付けられた電力設備を撮影装置で接写可能にする接写補助具であって、
種々の工具などを取り付け可能な操作棒の先端部に着脱自在に取り付けられ、電気絶縁性を有する材料で構成された前壁部と、後壁部と、左側壁部と、右側壁部と、底壁部と、前記後壁部に対して回動可能に配設された蓋部とで形成された空間部に前記撮影装置を着脱自在に収容して保持する撮影装置保持手段と、
電気絶縁性を有する材料で、前記撮影装置保持手段の前記蓋部に一体に形成され、外側に突出して前記被写体に押し付けられて複数点支持することで、前記撮影装置を安定化させるとともに、前記撮影装置から前記被写体までの距離を所定の接写可能距離に保つ間隔保持手段と、
を備え、
前記空間部に前記撮影装置を収容した状態では、前記蓋部によって前記撮影装置の上面部の一部と、右側面部とを覆うことで、撮影装置の外周を保持可能である、
ことを特徴とする接写補助具。
【請求項２】
前記撮影装置保持手段は、前記前壁部と前記左側壁部をスライドさせることによって、空間部の長手方向の長さが可変となり、前記後壁部と前記右側壁部をスライドさせることによって、空間部の奥行き方向の長さが可変となることで、前記空間部の幅や奥行きが調節可能となっており、複数の大きさの前記撮影装置を保持可能となっている、ことを特徴とする請求項１に記載の接写補助具。
【発明の詳細な説明】
【技術分野】
【０００１】
この発明は、撮影装置で遠方の被写体を接写可能にする接写補助具に関する。
【背景技術】
【０００２】
例えば、バランサやトランスなどのように電力設備には、電柱の上部のような高所に取り付けられているものがある。高所に取り付けられた電力設備の銘板を調査したり、細部を確認したりするためには、地上から双眼鏡を用いて確認したり、電柱などに昇塔して確認したりしていた。
【０００３】
ところが、地上から双眼鏡を用いて確認する場合には、高倍率の双眼鏡を使用する必要があり、手振れによって明確に視認することができないことがあった。また、地上から上方を見上げて確認するため、視界が遮られて確認対象の位置によっては視認しにくい、ということがあった。また、電柱などに昇塔して確認する場合には、時間と手間とを要するため、所定時間内に確認できる箇所は限られてしまっていた。さらに、電柱などに昇塔するためには訓練が必要となるため、作業者が限定されてしまっていた。
【０００４】
ところで、通電中の電力設備に関する作業の中には、共用操作棒とよばれる電気絶縁棒を用いた間接活線工法によって行われているものがある。共用操作棒の先端部には、種々の工具が取り付け可能となっており、作業に応じて取り付ける工具を取り替えられるようになっている。この間接活線工法によれば、電柱や電線などの高所に取り付けられた通電中の電力設備であっても地上から安全に作業できる。
【０００５】
また、パイプ材へのカメラの固定に適したカメラ支持具に関する技術が知られている（特許文献１参照。）。
【先行技術文献】
【特許文献】
【０００６】
【特許文献１】特開２０１１−０５９３４３号公報
【発明の概要】
【発明が解決しようとする課題】
【０００７】
しかしながら、高所の細部をカメラで確認するためには、銘板は小さい部位であるので、被写体である銘板などに十分に接近して撮影する必要がある。また、接写可能距離は、カメラごとに異なり、近すぎる場合は焦点が合わず、遠すぎる場合は銘板の文字が不鮮明な画像となってしまう。さらに、カメラを安定した姿勢で保持できない場合は、手振れによって不鮮明な画像となってしまう。つまり、特許文献１に記載のカメラ支持具によって、長尺（電柱の高さ数ｍ）のポール材にカメラを設置したとしても、長尺のポール材を支持した状態で、ポールの先端部のカメラを接写可能距離で支持し続けるのは大変困難であった。
【０００８】
そこで本発明は、撮影装置で遠方の被写体を接写可能にする接写補助具を提供することを目的とする。
【課題を解決するための手段】
【０００９】
上記目的を達成するために請求項１に記載の発明は、高所に取り付けられた電力設備を撮影装置で接写可能にする接写補助具であって、種々の工具などを取り付け可能な操作棒の先端部に着脱自在に取り付けられ、電気絶縁性を有する材料で構成された前壁部と、後壁部と、左側壁部と、右側壁部と、底壁部と、前記後壁部に対して回動可能に配設された蓋部とで形成された空間部に前記撮影装置を着脱自在に収容して保持する撮影装置保持手段と、電気絶縁性を有する材料で、前記撮影装置保持手段の前記蓋部に一体に形成され、外側に突出して前記被写体に押し付けられて複数点支持することで、前記撮影装置を安定化させるとともに、前記撮影装置から前記被写体までの距離を所定の接写可能距離に保つ間隔保持手段と、を備え、前記空間部に前記撮影装置を収容した状態では、前記蓋部によって前記撮影装置の上面部の一部と、右側面部とを覆うことで、撮影装置の外周を保持可能である、ことを特徴とする接写補助具である。
【００１０】
この発明によれば、電気絶縁性を有する材料で構成された前壁部と、後壁部と、左側壁部と、右側壁部と、底壁部と、後壁部に対して回動可能に配設された蓋部とで形成された空間部に撮影装置が着脱自在に保持された状態で、操作棒の先端部に着脱自在に取り付けられる。また、間隔保持手段が外側に突出して被写体に押し付けられて複数点支持することで、撮影装置が安定化されるとともに、撮影装置から被写体までの距離を所定の接写可能距離に保たれる。さらに、空間部に撮影装置を収容した状態では、蓋部によって撮影装置の上面部の一部と、右側面部とを覆うことで、撮影装置の外周が保持される。
【００１１】
請求項２に記載の発明は、請求項１に記載の接写補助具において、前記撮影装置保持手段は、前記前壁部と前記左側壁部をスライドさせることによって、空間部の長手方向の長さが可変となり、前記後壁部と前記右側壁部をスライドさせることによって、空間部の奥行き方向の長さが可変となることで、前記空間部の幅や奥行きが調節可能となっており、複数の大きさの前記撮影装置を保持可能となっている、ことを特徴とする。
【発明の効果】
【００１２】
請求項１に記載の発明によれば、撮影装置が着脱自在に保持された状態で、操作棒の先端部に着脱自在に取り付けることができるので、高所など遠方の接写が容易である。また、間隔保持手段が外側に突出して被写体に接することで、撮影装置が安定化されるとともに、撮影装置から被写体までの距離を所定の接写可能距離に保つことができる。つまり、長尺の操作棒の先端に撮影手段を保持した状態であっても、撮影装置の姿勢が接写可能距離で安定するので、焦点が合い、手振れも防止して明確な画像を撮影することができる。また、操作棒と接写補助具とを用いることで、容易に地上から接写できるので、特別な訓練や熟練を要さずに作業を行うことができる。さらに、地上に居ながらにして高所（遠方）の接写をすることができるので、銘板の確認作業などの迅速化と低コスト化を図ることができる。
【００１３】
請求項２に記載の発明によれば、撮影装置保持手段は、撮影装置の大きさが異なる場合でも確実に保持することができる。つまり、大きさが異なる複数の撮影装置に対して、接写補助具を共有することができるので、経済的である。
【図面の簡単な説明】
【００１４】
【図１】この発明の実施の形態１に係る接写補助具の正面図である。
【図２】図１の接写補助具の背面図である。
【図３】図１の接写補助具の右側面図である。
【図４】図１の接写補助具の左側面図である。
【図５】図１の接写補助具の接合部を示す拡大正面図である。
【図６】図１の接写補助具の使用状態を示す斜視図である。
【図７】図１の接写補助具の使用状態を示す斜視図である。
【図８】この発明の実施の形態２に係る接写補助具の上面図であり、（ａ）はカメラホルダー部を小さくした状態であり、（ｂ）はカメラホルダー部を大きくした状態である。
【発明を実施するための形態】
【００１５】
つぎに、この発明の実施の形態１について、図面を用いて詳しく説明する。
【００１６】
（実施の形態１）
図１ないし図７は、本発明の実施の形態を示している。接写補助具１は、撮影装置としてのカメラ２００で、遠方の被写体として、例えば電柱上に取り付けられた電力設備の銘板３００を接写可能にするために用いられる。接写補助具１は、電気絶縁性を有する材料で構成され、主として、撮影装置保持手段としてのカメラホルダー部１０と、間隔保持手段としての間隔保持アーム部２０とを有している。
【００１７】
カメラホルダー部１０は、図６および図７に示すように、種々の工具などを取り付け可能な操作棒４００の先端部４０２に着脱自在に取り付けられ、カメラ２００を着脱自在に保持するものである。カメラホルダー部１０は、図１から図４に示すように、主として、前壁部１１と後壁部１２と側壁部１３、１４と底壁部１５と蓋部１６とで形成されている。
【００１８】
前壁部１１は、可橈性を有し、図１に示すように、カメラ２００の前面下側を保持可能な水平部１１ａと、水平部１１ａから垂直方向に延び、カメラ２００の前面左側を保持可能な垂直部１１ｂとから略Ｌ字型に形成されている。後壁部１２は、可橈性を有し、図２に示すように、カメラ２００の背面全面を保持可能となっている。右側壁部１３は、可橈性を有し、図３に示すように、カメラ２００の厚さの略半分の幅に設定され、カメラ２００の右側面後側を保持可能となるように、後壁部１２の右端部から前壁部１１方向に延びるように形成されている。この右側壁部１３と前壁部１１との間に形成される隙間部から、カメラ２００が着脱自在となっている。左側壁部１４は、可橈性を有し、図４に示すように、カメラ２００の厚さより約１ｃｍ小さい幅に設定され、後壁部１２の左端部から前壁部１１方向に延びるように形成されている。この左側壁部１４と前壁部１１との間に形成される隙間部から、収容したカメラ２００のストラップ２０１を外方に排出することができるようになっている。これらの前壁部１１と後壁部１２と側壁部１３、１４とが、カメラ２００の底面を保持可能な底壁部１５上に配設されている。そして、前壁部１１と後壁部１２と側壁部１３、１４と底壁部１５とで形成された空間部に、カメラ２００を保持可能（収容可能）となっている。
【００１９】
蓋部１６は、可橈性を有し、図１から図４に示すように、後壁部１２に対して、回動軸１７を軸として、回動可能に配設され、断面形状が略逆Ｌ字型に形成されている。蓋部１６は、前壁部１１より前方に突出するようになっており、蓋部１６を閉じた状態では、カメラ２００の上面部の一部と、右側面部とを覆うようになっている。つまり、カメラ２００のレンズ２００ａを覆い保護するようになっている。この蓋部１６を図６の矢印の方向に回動して、図７に示すように開いた状態では、カメラ２００は、カメラホルダー部１０の上方や右側方から着脱自在となる。つまり、前壁部１１と後壁部１２と側壁部１３、１４と底壁部１５とで形成された空間部に、カメラ２００を収容した状態で、さらに蓋部１６によって外周を保持可能となっている。
【００２０】
固定ピン１８は、可橈性を有し、図３に示すように、右側壁部１３の下側に固定され、蓋部１６の下端側に形成された挿通孔１６ａに挿通可能となっている。図１および図６に示すように、蓋部１６を閉じた状態で、この固定ピン１８を挿通孔１６ａに挿通することによって、カメラ２００をカメラホルダー部１０内に収容した状態で、蓋部１６が固定されるようになっている。
【００２１】
間隔保持アーム部２０は、図３および図４、図６に示すように、カメラホルダー部１０の蓋部１６に一体に形成され、外側に突出して銘板３００に接することで、カメラ２００を安定化させるとともに、カメラ２００から銘板３００までの距離を所定の接写可能距離に保つものである。この間隔保持アーム部２０は、３つの間隔保持アーム２１〜２３を有している。この実施の形態では、例えばカメラ２００の接写可能距離が１０ｃｍであるものとし、それに対応して間隔保持アーム２１〜２３は、約１０ｃｍの長さを有している。つまり、間隔保持アーム２１〜２３の先端部が銘板３００に接した状態では、カメラ２００と銘板３００との間の距離を接写可能距離に保つことが可能である。第１の間隔保持アーム２１は、蓋部１６の右上部に配設され、第２の間隔保持アーム２２は、蓋部１６の右下部に配設され、第３の間隔保持アーム２３は、蓋部１６の左上部に配設されている。間隔保持アーム２１、２３は、断面形状が略Ｌ字型に形成されており、間隔保持アーム２２は、平板状に形成されている。間隔保持アーム２１、２３との間、間隔保持アーム２１、２２との間には、それぞれ開口部が形成され、間隔保持アーム部２０を銘板３００に押し当てた状態で、撮影に要する光を開口部によって上方や側方から取り込むことが可能となっている。
【００２２】
接合部３０は、図２および図５に示すように、下端側が開口した筒状部材で構成され、底壁部１５下側に固定されている。接合部３０の背面下側には、長孔の接合孔３１が形成されており、操作棒４００の本体部４０１の先端部４０２に配設された固定ネジ４０２ａが接合可能となっている。そして、図５に示すように、先端部４０２を矢印の方向に接合部３０の奥まで差し込んだ状態で、固定ネジ４０２ａによって着脱自在に固定することが可能である。つまり、接合部３０を介して、接写補助具１が操作棒４００の先端部４０２に着脱自在に取り付けられるようになっている。
【００２３】
つぎに、接写補助具１による銘板３００の撮影手順および作用について説明する。銘板３００の撮影場所（作業場所）までは、接写補助具１、カメラ２００、操作棒４００は取り外された状態で運搬される。
【００２４】
作業場所に到着すると、図７に示すように、接写補助具１の蓋部１６を開いた状態で、カメラホルダー部１０の内部にカメラ２００が収容される。具体的には、接写補助具１の右上前方側から、カメラ２００が、カメラホルダー部１０内の空間部に差し込まれる。このとき、前壁部１１と後壁部１２と右側壁部１３は可橈性を有する材料で形成されているため、押し広げる方向に変形可能であり、カメラ２００は空間部にスムーズに差し込まれる。カメラ２００が差し込まれた後は、前壁部１１と後壁部１２と右側壁部１３は元の位置に戻るようになっている。また、ストラップ２０１は、左側壁部１４と前壁部１１との間に形成される隙間部から、外方に排出される。
【００２５】
そして、蓋部１６が矢印の方向に回動されて、図６に示すように、固定ピン１８が挿通孔１６ａに挿通されて、蓋部１６が閉じられる。
【００２６】
そして、カメラホルダー部１０から外方に排出されたストラップ２０１に、接合部３０が挿通される。
【００２７】
つづいて、操作棒４００が収縮された状態で、図５に示すように、先端部４０２の固定ネジ４０２ａが、接合管３０の接合孔３１に挿入され奥まで差し込まれた状態で、固定ネジ４０２ａによって固定される。
【００２８】
そして、本体部４０１を把持して、操作棒４００の先端部４０２に取り付けられた接写補助具１が、銘板３００の下方まで移動される。ここで、カメラ２００の電源がＯＮされ、接写モードで、かつ、動画撮影モードまたはタイマ撮影モードなど所定の撮影モードに設定される。
【００２９】
そして、操作棒４００の本体部４０１が順次繰り出されながら、上方に伸ばされ、所望の長さとなったところで、すなわち、銘板３００の高さに接写補助具１が位置したところで、本体部４０１を回して長さが固定される。このとき、操作棒４００の長さは数ｍ〜約１０ｍとなっている。
【００３０】
つぎに、操作棒４００が動かされて、銘板３００に間隔保持アーム部２０が押し付けられて、３点支持されるためカメラ２００の姿勢が安定化される。このような状態で、銘板３００が所定の撮影モードで接写される。
【００３１】
銘板３００の撮影終了後は、操作棒４００が動かされて、銘板３００から間隔保持アーム部２０が離接し、操作棒４００の本体部４０１を回して順次収縮されながら、接写補助具１が手元に手繰り寄せられる。
【００３２】
そして、固定ネジ４０２ａを緩めて、接合管３０が操作棒４００から取り外される。
【００３３】
そして、図６の矢印の方向に蓋部１６が回動されて、図７に示すように蓋部１６が開かれた状態とされると、カメラ２００が取り外される。
【００３４】
このように、接写補助具１によれば、カメラ２００が着脱自在に保持された状態で、操作棒４００の先端部４０２に着脱自在に取り付けることができるので、高所など遠方の接写が容易である。また、間隔保持アーム部２０が外側に突出して銘板３００に接することで、カメラ２００が安定化されるとともに、カメラ２００から銘板３００までの距離を所定の接写可能距離に保つことができる。つまり、長尺の操作棒４００の先端４０２にカメラ２００を保持した状態であっても、カメラ２００の姿勢が安定するので、焦点が合い、手振れも不正で明確な画像を撮影することができる。また、操作棒４００と接写補助具１とを用いることで、容易に地上から接写できるので、特別な訓練や熟練を要さずに作業を行うことができる。さらに、地上に居ながらにして高所（遠方）の接写をすることができるので、銘板３００の確認作業の迅速化と低コスト化を図ることができる。
【００３５】
また、高所に設置された電気設備の細部などの、ヒビや亀裂などのような細部の点検を、容易に行うことができる。
【００３６】
さらに、電気絶縁性を有する材料で構成された接写補助具１でカメラ２００の全面を覆うので、作業中に電線などの導電部と接触した場合であっても、短絡してしまうことを防止することができる。
【００３７】
（実施の形態２）
図８は、この発明の実施の形態２を示している。この実施の形態では、接写補助具４のカメラホルダー部４０の構成が、実施の形態１におけるカメラホルダー部１０と異なる。この接写補助具４は、複数の大きさのカメラ２００を保持可能となっているものである。このため、実施の形態１と同等の構成については、同一符号又は対応する符号を付することで、その説明を省略する。
【００３８】
カメラホルダー部４０は、主として、前壁部４１と後壁部４２と側壁部４３、４４と底壁部４５と蓋部４６とで形成されている。
【００３９】
前壁部４１の左端部から後壁部４２に延びるように左側壁部４４が形成されている。底壁部４５の上面には、長手方向に沿って、前壁部４１の下端面に形成された係合凸部（図示略）と係合可能なガイドレール（係合凹部）４５ａが形成されている。つまり、前壁部４１と左側壁部４４とは、ガイドレール４５ａに沿って矢印の方向に（長手方向に）スライド自在となっている。この前壁部４１と左側壁部４４とは、所望の位置までスライドしたところで、ストッパ（図示略）によって移動が規制できるようになっている。
【００４０】
また、底壁部４５の上面には、短手方向に沿って（ガイドレール４５ａと直交する方向に）、右側壁部４３の下端面に形成された係合凸部（図示略）と係合可能なガイドレール（係合凹部）４５ｂが形成されている。つまり、後壁部４２と右側壁部４３とは、ガイドレール４５ｂに沿って矢印の方向に（奥行き方向に）スライド自在となっている。この後壁部４２と右側壁部４３とは、所望の位置までスライドしたところで、ストッパ（図示略）によって移動が規制できるようになっている。
【００４１】
このようにして、前壁部４１と左側壁部４４をスライドさせることで、空間部の長手方向の長さが可変となり、後壁部４２と右側壁部４３をスライドさせることで、空間部の奥行き方向の長さが可変となる。つまり、収容するカメラ２００の大きさに合わせて空間部の大きさを調節し、カメラ２００を確実に保持可能（収容可能）となっている。
【００４２】
このカメラホルダー部４０によれば、幅や奥行きが調節自在であるため、カメラ２００の大きさが異なる場合でも確実に保持することができる。つまり、接写補助具４は、複数の大きさのカメラ２００を保持可能となっている。
【００４３】
以上、この発明の実施の形態を詳述してきたが、具体的な構成は上記の実施の形態に限られるものではなく、この発明の要旨を逸脱しない範囲の設計の変更等があっても、この発明に含まれる。例えば、間隔保持アーム部２０は、３つの間隔保持アーム２１〜２３を有しているようにして説明したが、間隔保持アームは３つに限定されることはなく、４つなど、カメラ２００の姿勢を安定させることが可能な数、配置であればよい。
【００４４】
また、カメラ２００をより強固に保持するために、カメラ２００の底面に配設されている三脚固定孔と螺合可能なネジ部を、底壁部１５に形成してもよい。
【００４５】
また、前壁部４１と後壁部４２と側壁部４３、４４を弾性変形可能なゴムなどの弾性体で構成することや、バネ部材などの弾性体を装着することにより、空間部の大きさを調節可能としてもよいことはもちろんである。
【００４６】
さらに、間隔保持アーム２１〜２３を伸縮自在として、長さを調節できるようにしてもよい。このようにすることで、接写可能距離が異なる複数のカメラ２００について、焦点を合わせ、接写可能とすることができる。
【符号の説明】
【００４７】
１                接写補助具
１０              カメラホルダー部（撮影装置保持手段）
１１              前壁部
１２              後壁部
１３、１４        側壁部
１５              底壁部
１６              蓋部
２０              間隔保持アーム部（間隔保持手段）
３０              接合部
２００            カメラ（撮影装置）
３００            電力設備の銘板（被写体）
４００            操作棒
４００ａ          先端部
【図１】
0005483478.tif 000002
【図２】
0005483478.tif 000003
【図３】
0005483478.tif 000004
【図４】
0005483478.tif 000005
【図５】
0005483478.tif 000006
【図６】
0005483478.tif 000007
【図７】
0005483478.tif 000008
【図８】
0005483478.tif 000009